(57)【要約】  医用画像に付帯する患者の個人情報の流出を防ぐことが可能な医用画像診断装置のリモートメンテナンスシステムが提供される。ＭＲＩ装置（１００）と、このＭＲＩ装置（１００）の保守サービスを行う事業者のサービスセンタに設置されているサーバ（３００）と、サーバ（３００）とＭＲＩ装置（１００）とを接続するネットワーク設備（２００）とを備える。サーバ（３００）は、ＭＲＩ装置（１００）とのリモート接続の許可要求をＭＲＩ装置（１００）にネットワーク設備（２００）を介して送信し、接続許可となると、ＭＲＩ装置（１００）のＶＰＮ管理部（８ａ）は、医用画像の個人情報を隠蔽マークに変換し、医用画像と共にサーバ（３００）に送信する。
2008050571.tif 000002
【特許請求の範囲】
【請求項１】
被検体の画像を撮像する撮像手段（２、３、４、５、６）と、撮像された被検体の画像を表示する表示手段（２０）と有する医用画像診断装置において、
被検体の個人情報を入力する個人情報入力手段（２５）と、
上記個人情報入力手段（２５）により入力された個人情報及び上記撮像手段（２、３、４、５、６）により撮像された被検体の画像を格納する格納手段（１８、１９、２２）と、
通信ネットワーク（２００）に接続され、この通信ネットワーク（２００）を介して受信した画像送信要求に応じて、上記格納手段（１８、１９、２２）に格納された被検体の個人情報を隠蔽マークに変換し、変換した隠蔽マークと共に被検体の画像を上記通信ネットワーク（２００）に送信する変換処理手段（８ａ）と、
を備えることを特徴とする医用画像診断装置。
【請求項２】
請求項１記載の医用画像診断装置において、上記変換処理手段（８ａ）は、上記通信ネットワーク（２００）を介して要求された画像送信要求に対して、送信許可、送信不許可を判断することを特徴とする医用画像診断装置。
【請求項３】
請求項１記載の医用画像診断装置において、上記変換処理手段（８ａ）は、上記被検体の個人情報が、上記隠蔽マークに変換されていることを、上記表示手段（２０）に表示させることを特徴とする医用画像診断装置。
【請求項４】
請求項１記載の医用画像診断装置において、上記変換処理手段（８ａ）は、上記被検体の個人情報が、上記隠蔽マークに変換されたか、変換処理中であるかを区別して、上記表示手段（２０）に表示させることを特徴とする医用画像診断装置。
【請求項５】
請求項１記載の医用画像診断装置において、上記変換処理手段（８ａ）は、上記被検体の個人情報が、上記隠蔽マークに変換され、画像と共に上記通信ネットワーク（２００）に送信されたか否かを区別して、上記表示手段（２０）に表示させることを特徴とする医用画像診断装置。
【請求項６】
請求項１記載の医用画像診断装置において、上記変換処理手段（８ａ）は、上記被検体の画像と、上記被検体の識別番号と、上記個人情報が変換された上記隠蔽マークとを、上記格納手段（１８、１９、２２）に格納することを特徴とする医用画像診断装置。
【請求項７】
医用画像診断装置（１００）と、この医用画像診断装置（１００）の保守サービスを行う事業者のサービスセンタに設置されるサーバ（３００）と、このサーバ（３００）と上記医用画像診断装置（１００）とを接続する通信ネットワーク（２００）とを有する医用画像診断装置のリモートメンテナンスシステムにおいて、
上記サーバ（３００）は、画像表示手段（３０２）と、上記通信ネットワーク（２００）を介して上記医用画像診断装置（１００）に通信接続の許可要求を送信し、上記医用画像診断装置（１００）から上記通信ネットワーク（２００）を介して送信された画像を上記画像表示手段（３０２）に表示する表示制御部（３０１）を備え、
上記医用画像診断装置（１００）は、上記サーバ（３００）から送信された通信接続許可要求に応じて、被検体の個人情報を隠蔽マークに変換し、変換した隠蔽マークと共に被検体の画像を上記通信ネットワーク（２００）に送信する変換処理手段（８ａ）を備えることを特徴とする医用画像診断装置のリモートメンテナンスシステム。
【請求項８】
請求項７記載の医用画像診断装置のリモートメンテナンスシステムにおいて、
上記医用画像診断装置（１００）は、画像表示手段（２０）を備え、被検体の個人情報を隠蔽マークに変換し、変換した隠蔽マークと共に被検体の画像を上記通信ネットワーク（２００）に送信したことを示すメッセージをこの医用画像診断装置（１００）の上記画像表示手段（２０）に表示することを特徴とする医用画像診断装置のリモートメンテナンスシステム。
【請求項９】
請求項８記載の医用画像診断装置のリモートメンテナンスシステムにおいて、上記サーバ（３００）は、上記通信ネットワーク（２００）を介して上記医用画像診断装置（１００）から画像と共に上記隠蔽マークが送信され、個人情報は隠蔽されていることを示すメッセージを上記サーバ（３００）の画像表示手段（３０２）に表示することを特徴とする医用画像診断装置のリモートメンテナンスシステム。
【発明の詳細な説明】
【技術分野】
【０００１】
本発明は、磁気共鳴イメージング（以下、「ＭＲＩ」という）装置を含む医用画像診断装置及び医用画像診断装置のリモートメンテナンスシステムに関する。
【背景技術】
【０００２】
医用画像診断装置のリモートメンテナンスシステムは、病院などのユーザの施設に設置される医用画像診断装置と、この医用画像診断装置の保守サービスを行う事業者のサービスセンタに設置されているサーバと、医用画像診断装置とサーバを接続するネットワーク設備とを有している。【０００３】
医用画像診断装置のリモートメンテナンスシステムでは、医用画像診断装置での医用画像の撮影等の不具合をオンラインでサーバが対応するサービスを運用する。その運用例は特許文献１に開示されているように、病院等で撮影された医用画像を用いて、医用画像診断装置の不具合等の判断を行なっている。【０００４】
【特許文献１】特開２００３−１９０１０５公報
【発明の開示】
【発明が解決しようとする課題】
【０００５】
しかし、特許文献１には、医用画像診断装置の不具合判断に使用する医用画像についての個人情報に関しては、何ら考慮されていない。このため、医用画像情報に付帯する患者の個人情報の流出を防ぐという未解決の課題が残されている。【０００６】
本発明の目的は、医用画像に付帯する患者の個人情報の流出を防ぐことが可能な医用画像診断装置及び医用画像診断装置のリモートメンテナンスシステムを提供することにある。
【課題を解決するための手段】
【０００７】
上記目的を達成するために、本発明の医用画像診断装置は以下のように構成される。【０００８】
即ち、被検体の画像を撮像する撮像手段と、撮像された被検体の画像を表示する表示手段と有する医用画像診断装置において、被検体の個人情報を入力する個人情報入力手段と、上記個人情報入力手段により入力された個人情報及び上記撮像手段により撮像された被検体の画像を格納する格納手段と、通信ネットワークに接続され、この通信ネットワークを介して受信した画像送信要求に応じて、上記格納手段に格納された被検体の個人情報を隠蔽マークに変換し、変換した隠蔽マークと共に被検体の画像を上記通信ネットワークに送信する変換処理手段とを備えることを特徴としている。【０００９】
また、本発明の医用画像診断装置のリモートメンテナンスシステムは以下のように構成される。【００１０】
即ち、医用画像診断装置と、この医用画像診断装置の保守サービスを行う事業者のサービスセンタに設置されるサーバと、このサーバと上記医用画像診断装置とを接続する通信ネットワークとを有する医用画像診断装置のリモートメンテナンスシステムにおいて、上記サーバは、画像表示手段と、上記通信ネットワークを介して上記医用画像診断装置に通信接続の許可要求を送信し、上記医用画像診断装置から上記通信ネットワークを介して送信された画像を上記画像表示手段に表示する表示制御部を備え、上記医用画像診断装置は、上記サーバから送信された通信接続許可要求に応じて、被検体の個人情報を隠蔽マークに変換し、変換した隠蔽マークと共に被検体の画像を上記通信ネットワークに送信する変換処理手段を備えることを特徴としている。
【発明の効果】
【００１１】
本発明の医用画像診断装置及びリモートメンテナンスシステムによれば、医用画像に付帯する個人情報を隠蔽し、患者の個人情報の流出を防ぐことができる。
【図面の簡単な説明】
【００１２】
【図１】本発明が適用されるＭＲＩ装置の一例における全体構成を示すブロック図である。
【図２】本発明が適用されるＭＲＩ装置のリモートメンテナンスシステムの概略構成図である。
【図３】図２の機能を説明するブロック図である。
【図４】本発明の第１の実施形態の動作を説明するフローチャートである。
【図５】図４の動作手順を説明するための表示例を示す図である。
【図６】本発明の第２、第３の実施形態の共通の動作を説明するフローチャートである。
【図７】図６の第２の実施形態の動作を説明するサブルーチンを示すフローチャートである。
【図８】図７、図９の共通の変換テーブルの記憶内容例を説明する図である。
【図９】図６の第３の実施形態の動作を説明するサブルーチンを示すフローチャートである。
【符号の説明】
【００１３】
２・・・静磁場発生系、３・・・傾斜磁場発生系、４・・・シーケンサ、５・・・送信系、６・・・受信系、７・・・信号処理系、８・・・ＣＰＵ、８ａ・・・ＶＰＮ管理部、１８・・・磁気ディスク、１９・・・光ディスク、２０・・・ディスプレイ、２１・・・ＲＯＭ、２２・・・ＲＡＭ、２５・・・操作部、１００・・・ＭＲＩ装置、２００・・・ネットワーク設備、３００・・・サーバ、３０１・・・表示制御部、３０２・・・表示装置
【発明を実施するための最良の形態】
【００１４】
以下、添付図面に従って本発明における医用画像診断装置及び医用画像診断装置のリモートメンテナンスシステムの好ましい実施形態について詳説する。なお、発明の実施形態を説明するための全図において、同一機能を有するものは同一符号を付け、その繰り返しの説明は省略する。【００１５】
最初に、本発明に係る医用画像診断装置が適用される一例としてＭＲＩ装置の全体概要を図１に基づいて説明する。【００１６】
図１は、本発明が適用されるＭＲＩ装置の一例の全体構成を示すブロック図である。このＭＲＩ装置は、核磁気共鳴現象を利用して被検体の断層画像を得るもので、図１に示すように、ＭＲＩ装置は、撮像手段を構成する、静磁場発生系２と、傾斜磁場発生系３と、送信系５と、受信系６と、信号処理系７と、シーケンサ４と、中央処理装置（ＣＰＵ）８とを備える。【００１７】
静磁場発生系２は、垂直磁場方式であれば、被検体１の周りの空間にその体軸と直交する方向に、水平磁場方式であれば、体軸方向に均一な静磁場を発生させるもので、被検体１の周りに永久磁石方式、常電導方式あるいは超電導方式の静磁場発生源が配置されている。【００１８】
傾斜磁場発生系３は、ＭＲＩ装置の座標系（静止座標系）であるＸ、Ｙ、Ｚの３軸方向に巻かれた傾斜磁場コイル９と、それぞれの傾斜磁場コイルを駆動する傾斜磁場電源１０とから成り、後述のシ−ケンサ４からの命令に従ってそれぞれのコイルの傾斜磁場電源１０を駆動することにより、Ｘ、Ｙ、Ｚの３軸方向に傾斜磁場Ｇｘ、Ｇｙ、Ｇｚを印加する。【００１９】
撮影時には、スライス面（撮影断面）に直交する方向にスライス方向傾斜磁場パルス（Ｇｓ）を印加して被検体１に対するスライス面を設定し、そのスライス面に直交して且つ互いに直交する残りの２つの方向に位相エンコード方向傾斜磁場パルス（Ｇｐ）と周波数エンコード方向傾斜磁場パルス（Ｇｆ）を印加して、エコー信号にそれぞれの方向の位置情報をエンコードする。【００２０】
シーケンサ４は、高周波磁場パルス（以下、「ＲＦパルス」という）と傾斜磁場パルスをある所定のパルスシーケンスで繰り返し印加する制御手段で、ＣＰＵ８の制御で動作し、被検体１の断層画像のデータ収集に必要な種々の命令を送信系５、傾斜磁場発生系３、および受信系６に送る。【００２１】
送信系５は、被検体１の生体組織を構成する原子の原子核スピンに核磁気共鳴を起こさせるために、被検体１にＲＦパルスを照射するもので、高周波発振器１１と変調器１２と高周波増幅器１３と送信側の高周波コイル（送信コイル）１４ａとから成る。高周波発振器１１から出力された高周波パルスをシーケンサ４からの指令によるタイミングで変調器１２により振幅変調し、この振幅変調された高周波パルスを高周波増幅器１３で増幅した後に被検体１に近接して配置された高周波コイル１４ａに供給することにより、ＲＦパルスが被検体１に照射される。【００２２】
受信系６は、被検体１の生体組織を構成する原子核スピンの核磁気共鳴により放出されるエコー信号（ＮＭＲ信号）を検出するもので、受信側の高周波コイル（受信コイル）１４ｂと信号増幅器１５と直交位相検波器１６と、Ａ／Ｄ変換器１７とから成る。送信側の高周波コイル１４ａから照射された電磁波によって誘起された被検体１の応答のＮＭＲ信号が被検体１に近接して配置された高周波コイル１４ｂで検出され、信号増幅器１５で増幅された後、シーケンサ４からの指令によるタイミングで直交位相検波器１６により直交する二系統の信号に分割され、それぞれがＡ／Ｄ変換器１７でディジタル量に変換されて、信号処理系７に送られる。【００２３】
信号処理系７は、各種データ処理と処理結果の表示及び保存等を行うもので、光ディスク１９、磁気ディスク１８等の外部記憶装置と、ＣＲＴ等からなるディスプレイ２０とを有し、受信系６からのデータがＣＰＵ８に入力されると、ＣＰＵ８が信号処理、画像再構成等の処理を実行し、その結果である被検体１の断層画像をディスプレイ２０に表示すると共に、外部記憶装置の磁気ディスク１８等に記録する。【００２４】
操作部（個人情報入力手段）２５は、ＭＲＩ装置の各種制御情報や上記信号処理系７で行う処理の制御情報や撮像した画像の個人の氏名等の個人情報を入力するもので、トラックボール又はマウス２３、及び、キーボード２４から成る。この操作部２５はディスプレイ２０に近接して配置され、操作者がディスプレイ２０を見ながら操作部２５を通してインタラクティブにＭＲＩ装置の各種処理を制御する。【００２５】
なお、送信側の高周波コイル１４ａと傾斜磁場コイル９は、被検体１が挿入される静磁場発生系２の静磁場空間内に、垂直磁場方式であれば被検体１に対向して、水平磁場方式であれば被検体１を取り囲むようにして設置されている。また、受信側の高周波コイル１４ｂは、被検体１に対向して、或いは取り囲むように設置されている。【００２６】
現在、ＭＲＩ装置の撮像対象核種は、臨床で普及しているものとしては、被検体の主たる構成物質である水素原子核（プロトン）である。プロトン密度の空間分布や、励起状態の緩和時間の空間分布に関する情報を画像化することで、人体頭部、腹部、四肢等の形態または、機能を２次元もしくは３次元的に撮像する。【００２７】
上記説明したＭＲＩ装置１００は、通信ネットワーク設備を介してサーバが接続され、ＭＲＩ装置のリモートメンテナンスシステムが図２に示されるように構成されている。【００２８】
図２は本発明のＭＲＩ装置のリモートメンテナンスシステムの概略構成図、図３は図２の機能を説明するブロック図である。【００２９】
ＭＲＩ装置のリモートメンテナンスシステムは、図２に示されるように、ＭＲＩ装置１００と、サーバ３００と、これらを接続する通信ネットワーク設備２００とを有している。【００３０】
ＭＲＩ装置１００は既に説明したので、ここではその説明を割愛する。【００３１】
表示装置３０２等を備えるサーバ３００は、ＭＲＩ装置１００の保守サービスを行う事業者のサービスセンタに設置されており、ＭＲＩ装置１００とネットワーク設備２００を介してリモート接続操作が可能なように相互に接続されている。【００３２】
このＭＲＩ装置のリモートメンテナンスシステムは、機能で分解すると図３のとおりとなる。図３において、ＭＲＩ装置１００は、操作部２５と、操作部２５と、サーバ３００と信号送受可能に接続されるＣＰＵ８とを有しており、ＣＰＵ８に制御されたデータがネットワーク設備２００へ送出される。ＣＰＵ８は、さらにVirtual Private Network（以下ＶＰＮという）管理部（変換処理手段）８ａを有している。【００３３】
ＶＰＮ管理部８ａは、サーバ３００のリモートディスクトップでＭＲＩ装置１００側にリモートで通信可能に接続される場合、接続のイベントとする。ＭＲＩ装置１側における操作者は、患者氏名、性別、体重、生年月日、病院名、検査日時、患者ＩＤ、米国におけるソーシャルセキュリティと呼ばれる社会保険番号、日本における住宅基本台帳番号や運転免許証番号などの個人を特定するための個人情報を操作部２５で予め設定しておく。設定された患者の個人情報は、その患者の画像情報と共に、メモリ（磁気ディスク１８、光ディスク１９、ＲＡＭ２２等）に格納される。【００３４】
なお、ＶＰＮはアプリケーションソフトウエアに依存しない暗号化送信技術で、従来のＷｅｂベースでの暗号化接続を提供するＳＳＬ（Secure Sockets Layer）やメールの暗号化という方法から順次置き換えられている技術である。【００３５】
ＶＰＮ管理部８ａは、その設定された個人情報を隠蔽する処理を行う。サーバ３００は表示制御部３０１を有し、ＶＰＮ管理部８ａにより個人情報が隠蔽されたＭＲＩ画像を表示装置３０２に表示する。また、ＶＰＮ管理部８ａは、個人情報が隠蔽されたＭＲＩ画像を光ディスク１９、磁気ディスク１８又はＲＡＭ２２に格納することも可能である。【００３６】
本発明の実施形態は、おおよそ、上述した構成であるが、各実施形態ではその動作がそれぞれ異なる。以下、本発明の各実施形態について説明する。
〔第１の実施形態〕
本発明の第１の実施形態について、図４、図５を用いて説明する。【００３７】
図４は本発明の第１の実施形態の動作を説明するフローチャート、図５は図４の動作手順を説明するための表示例を示す図である。【００３８】
図４及び図５において、サーバ３００はＭＲＩ装置１００にリモート接続確認を行う（ステップ４０１）。この操作に先立ち、ＭＲＩ装置１００のユーザはサーバ３００がネットワーク設備２００を介してＭＲＩ装置１００におけるＣＰＵ８のモードを認識させるモード記憶領域に、「接続許可」又は「接続不許可」を設定しておく。【００３９】
サーバ３００は、ネットワーク設備２００を介してＭＲＩ装置１００と相互通信し、モード記憶領域に設定されたモードに従って、「接続許可」（送信許可）であればステップ４０３へ進み、「接続不許可」（送信不許可）であれば待機する。（ステップ４０２）
ＭＲＩ装置１００のＶＰＮ管理部８ａは、図５に示すように、患者名を隠蔽処理する。具体的には、患者の個人氏名「日立太郎」５０３を隠蔽マーク「＊＊＊＊」５０４へ変換する（ステップ４０３）。隠蔽処理の対象は、患者リスト５０１とＭＲＩ画像５０２だけでなく、個人情報が表示されているもの全てである。【００４０】
サーバ３００の表示制御部３０１は、隠蔽処理された個人情報とＭＲＩ装置１００からの画像を表示装置３０２に表示する。（ステップ４０４）
そして、サーバ３００側では、表示装置３０２に表示された画像が分析されることにより、医用画像診断装置の不具合等が判断される。【００４１】
以上説明したように、本発明の第１の実施形態によれば、サーバ３００側で医用画像を用いて医用画像診断装置の不具合等を判断する際、その医用画像に付帯する個人情報は、ＭＲＩ装置１００側で隠蔽処理されているので、患者の個人情報の流出を防ぐことができる。【００４２】
〔第２の実施形態〕
次に、本発明の第２の実施形態について図６を用いて説明する。【００４３】
図６は本発明の第２及び第３の実施形態の動作を説明するフローチャートである。【００４４】
図６において、サーバ３００はＭＲＩ装置１００にリモートで接続確認を行う。（ステップ６０１）
サーバ３００は「接続許可」であればステップ６０３へ進み、「接続不許可」であればステップ６０１に戻り、接続許可となるまで待機する。（ステップ６０２）
個人情報変換処理は、第２の実施形態（図７）または第３の実施形態（図９）によって対応が分かれる。【００４５】
ＭＲＩ装置１００のＶＰＮ管理部８ａは、図５に示すように患者名を隠蔽処理する。（ステップ６０３）
サーバ３００の表示制御部３０１は、ＭＲＩ装置１００のＶＰＮ管理部８ａにより個人情報が隠蔽処理された隠蔽マークとＭＲＩ装置１００からの画像を表示装置３０２に表示する。（ステップ６０４）
図７は、図６のサブルーチンを示すフローチャートであり、第２の実施形態の動作を説明する図である。また、図８は図７、図９の共通の変換テーブルの記憶内容例を説明する図である。【００４６】
第２の実施形態の個人情報変換処理について図７を用いて説明する。【００４７】
ＭＲＩ装置１００のＶＰＮ管理部８ａは、図５に示すように、患者名を隠蔽処理し、掩蔽マークに置換する。（ステップ７０１）
ＭＲＩ装置１００のＶＰＮ管理部８ａは、図８に示すように、患者の個人氏名「日立太郎」から隠蔽マーク「＊＊＊＊」へ変換処理した後に、変換テーブル８００のフラグ８０３に１をセットする。図８に示す患者氏名「日立花子」から隠蔽マークへの変換は途上であり、隠蔽マークではなく、「＊＊￥￥」が表示され、フラグは０のままである。（ステップ７０２）
ＭＲＩ装置１００は、変換テーブル８００のフラグ８０３が１にセットされ、個人情報が確実に隠蔽された画像情報をサーバ３００へ転送する。（ステップ７０２）
図８に示した変換テーブル８００の内容は、ＭＲＩ装置１００のディスプレイ２０に表示可能となっている。このため、ユーザ（操作者、患者等）は、変換テーブル８００の内容を確認することにより、個人情報が流出していないことを確認することができる。【００４８】
以上説明したように、第２の実施形態によれば、第1の実施形態と同様な効果を得ることができる他、サービスセンタからリモートメンテナンスを受ける際に患者の個人情報が流出していないことをユーザが確認することができるという効果がある。
〔第３の実施形態〕
次に、本発明の第３の実施形態について図６、図９を用いて説明する。【００４９】
図６に示したフローチャートについては、既に説明したので、その説明を割愛する。【００５０】
図９は第３の実施形態の動作を説明するフローチャートであり、図６に示したフローチャートのサブルーチンである。【００５１】
本発明の第３の実施形態における個人情報変換処理について図９を用いて説明する。【００５２】
図９に示したステップ９０１から９０３までは、図７に示したステップ７０１から７０３までと同じであるから、その説明を割愛する。【００５３】
サーバ３００は、ＭＲＩ装置１００から受信した画像には、個人情報が確実に隠蔽されていることを示すメッセージをサーバ３００自身の表示装置３０２及びＭＲＩ装置１００のディプレイ２０に表示する。（ステップ９０４）
このメッセージは、例えば、「個人情報が隠蔽された画像が送信されました」とのコメントや、ＭＲＩ装置１００からの画像の受信日、受信番号等と共に、隠蔽マークが表示されたものを表示してもよい。【００５４】
以上説明したように、第３の実施形態によれば、第１の実施形態と同様な効果を得ることができる他、リモートメンテナンスを受ける際に患者の個人情報が流出していないことを事業者が保証できる。【００５５】
なお、上述して第１〜第３の実施形態において、患者名や、患者ＩＤなどの個人情報を隠蔽した場合、ＭＲＩ装置１００側で、ＲＡＭ２２等に格納された患者の画像を選択するときに、患者の特定ができなくなるのを防ぐため、Study DateやStudy ＩＤの表示を行うことが可能である。つまり、患者名や、患者ＩＤを隠蔽しても、当該患者が持つ最新のStudy DateやStudy ＩＤは表示される。【００５６】
したがって、ＭＲＩ装置１００の検査者であれば、当該患者を撮影した日時、Study ＩＤと患者ＩＤとの照合により容易に患者画像の特定が可能となる。【００５７】
患者が持つ最新のStudy DateやStudy ＩＤをその画像と共に表示すれば、ユーザ自身、サーバ３００にリモート接続されたときに患者の個人情報が隠蔽マークに置換されることによる混乱を防止することができる。【００５８】
また、ＭＲＩ装置１００側では、サーバ３００からのリモート接続時に患者情報が隠蔽マークに置き換えられるが、サーバ３００からのリモート接続が終了し、サーバ３００とＭＲＩ装置１００との画像情報通信が不許可となった場合、隠蔽されていた個人情報を隠蔽されていない情報に戻して表示することもできる。【００５９】
このように構成すれば、サーバ３００との接続時に個人情報が表示画面から表示されなくなっても、リモート接続の切断時、即、患者情報の表示が元の状態に戻るので、ユーザの安心感を維持しながら、リモート接続を行うことが可能になる。【００６０】
以上、本発明の実施形態では、医用画像診断装置の例として、ＭＲＩ装置を挙げたが、本発明は、ＭＲＩ装置のみならず、Ｘ線撮影装置、Ｘ線ＣＴ装置、超音波画像診断装置、核医学装置など医用画像を得るものであれば、適用可能である。
【図１】
2008050571.tif 000003
【図２】
2008050571.tif 000004
【図３】
2008050571.tif 000005
【図４】
2008050571.tif 000006
【図５】
2008050571.tif 000007
【図６】
2008050571.tif 000008
【図７】
2008050571.tif 000009
【図８】
2008050571.tif 000010
【図９】
2008050571.tif 000011
【国際調査報告】
2008050571.tif 000012
2008050571.tif 000013
2008050571.tif 000014
2008050571.tif 000015